(57)【要約】【課題】従来のこの種ショウケースユニット及びショウケースが有している課題の内、少なくとも部材が重なり合って過剰品質になるという課題を解消する。【解決手段】ブラケット取付部１１５を有する支持体１と、この支持体１のブラケット取付部１１５に上下方向に取付位置変更可能に支持される標準ブラケット２と、この標準ブラケット２に着脱可能に支持され得る標準棚板３とを具備してなる什器Ｆを利用してショウケースＣを構成するためのものであって、前記標準ブラケット２よりも上方に位置させて前記ブラケット取付部１１５に取り付けられ前記標準棚板３を支持する追加ブラケット４と、前記標準棚板３に代えて前記標準ブラケット２上に支持される底板５と、前記追加ブラケット４に支持された標準棚板３を天井としてこの底板５上に形成される陳列空間Ｓの前面に配される扉６とを具備してなる。【選択図】図２
2010131062.tif 000002
【特許請求の範囲】
【請求項１】
ブラケット取付部を有する支持体と、この支持体のブラケット取付部に上下方向に取付位置変更可能に支持される標準ブラケットと、この標準ブラケットに着脱可能に支持され得る標準棚板とを具備してなる什器を利用してショウケースを構成するためのものであって、前記標準ブラケットよりも上方に位置させて前記ブラケット取付部に取り付けられ前記標準棚板を支持する追加ブラケットと、前記標準棚板に代えて前記標準ブラケット上に支持される底板と、前記追加ブラケットに支持された標準棚板を天井としてこの底板上に形成される陳列空間の前面に配される扉とを具備してなることを特徴とするショウケースユニット。
【請求項２】
前記陳列空間の側面を閉塞する側板をさらに備えてなる請求項１記載のショウケースユニット。
【請求項３】
前記扉を閉止位置にロックするための施錠装置をさらに備えてなる請求項１又は２記載のショウケースユニット。
【請求項４】
前記支持体が対をなす支柱を主体に構成されたものであり、それら支柱のブラケット取付部にそれぞれ取り付けられた対をなす標準ブラケットにより前記底板を支持するとともに、前記支柱にそれぞれ支持された対をなす追加ブラケットにより前記標準棚板を支持するようにしている請求項１、２又は３記載のショウケースユニット。
【請求項５】
前記追加ブラケットの上縁部同士を連結する上横架材をさらに備えてなる請求項４記載のショウケースユニット。
【請求項６】
前記追加ブラケットが、前記扉を開閉可能に支持するための扉支持部材を備えたものである請求項１、２、３、４又は５記載のショウケースユニット。
【請求項７】
前記底板が、前記施錠装置の構成要素を収容するための収容部を備えたものである請求項３、４、５又は６記載のショウケースユニット。
【請求項８】
前記扉が、跳ね上げ式のものであり、その下縁部に前記施錠装置の構成要素を取り付けるための錠取付部を備えてなる請求項７記載のショウケースユニット。
【請求項９】
ブラケット取付部を有する支持体と、この支持体のブラケット取付部に上下方向に取付位置変更可能に支持される標準ブラケットと、この標準ブラケットに着脱可能に支持され得る標準棚板と、前記標準ブラケットよりも上方に位置させて前記ブラケット取付部に取り付けられ前記標準棚板を支持する追加ブラケットと、前記標準棚板に代えて前記標準ブラケット上に支持される底板と、前記追加ブラケットに支持された標準棚板を天井としてこの底板上に形成される陳列空間の前面に配される扉とを具備してなることを特徴とするショウケース。
【請求項１０】
少なくともブラケット取付部を有する支持体と、この支持体のブラケット取付部に上下方向に取付位置変更可能に支持される標準ブラケットと、この標準ブラケットに着脱可能に支持され得る標準棚板とを用いて天井を有する陳列空間を形成し、その陳列空間の前面に扉を配してなることを特徴とするショウケース。
【請求項１１】
前記支持体に、複数組の前記標準ブラケット及び前記標準棚板を支持させて左右方向に連続する複数の陳列空間を形成してなる請求項９又は１０記載のショウケース。
【発明の詳細な説明】
【技術分野】
【０００１】
本発明は、店舗等において好適に使用されるショウケースユニット及びショウケースに関する。
【背景技術】
【０００２】
店舗等においては、フック孔を有する支柱と、この支柱のフック孔に掛け止めされるブラケットと、このブラケットに着脱可能に支持される棚板とを具備してなる商品陳列用の什器が普及していることはよく知られている。
【０００３】
しかして、この種の什器は、その棚板上に種々の商品を載置して陳列するものであり、店舗内の顧客は棚板上の商品を自由に手に取ることができるようになっている。
【０００４】
一方、貴重品等を陳列する場合には、専用のショウケースが用いられる。しかしながら、一般の店舗においては、専用のショウケースを導入するほどではないが限られた数の貴重品を安全に陳列したいという要望や、それほど厳重に保安する必要はないがあまり手を触れてほしくない商品を陳列したいという要求等、種々の事情が存在するものであり、前記什器と同程度の簡易さのショウケースの出現が望まれている。
【０００５】
このような要望に応えるものとして、例えば、前述した陳列用什器の棚板上にボックス状のショウケースユニットを載設して簡易なショウケースを構築することができるようにしたものが開発されている（例えば、非特許文献１参照）。
【０００６】
ところで、従来のショウケースユニットは、底壁と、左右の側壁と、背壁と、天壁とによって陳列空間を形成してなる箱状のもので、その前面にガラス製の扉を配してなる。そして、その底壁を前記什器の棚板上に重ね合わせるようにして載置し固定することによって、その陳列空間内に適宜な商品を陳列することができるショウケースが構築されるようになっている。
【０００７】
ところが、このような構成のものでは、ショウケースユニットの底壁と前記什器の棚板とが重なり合って陳列空間の床を構成することになり、強度的に若干過剰品質であるとの指摘を免れない。
【０００８】
また、前述した陳列用什器は、それ自体が側板や背板を有したものも多く、かかる什器に前記ショウケースユニットを組み合わせると、その側板や背板とショウケースユニットの側壁や背壁とで二重壁構造が形成されるという無駄が発生する可能性もある。
【０００９】
さらに、この種の什器は、横方向に複数組連ねて配されることも少なくない。この場合、左右に隣接する棚上に前述したボックス状のショウケースユニットをそれぞれ載設すると、各ショウケースユニットの陳列空間は、二重の側壁により相互に隔離されたものとなる。そのため、複数の棚板に亘る長尺な商品を前記ショウケース内に陳列することができないという不便さもある。
【非特許文献１】コクヨ株式会社カタログ「ＫＯＫＵＹＯ  ２００８  ファニチャー編」，ｐ８３９
【発明の開示】
【発明が解決しようとする課題】
【００１０】
本発明は、従来のこの種のショウケースユニット及びショウケースが有している課題の内、少なくとも部材が重なり合って過剰品質になるという課題を解消することを目的としている。
【課題を解決するための手段】
【００１１】
本発明は、かかる課題を解消するために、次のような手段を講じたものである。すなわち、本発明に係るショウケースユニットは、ブラケット取付部を有する支持体と、この支持体のブラケット取付部に上下方向に取付位置変更可能に支持される標準ブラケットと、この標準ブラケットに着脱可能に支持され得る標準棚板とを具備してなる什器を利用してショウケースを構成するためのものであって、前記標準ブラケットよりも上方に位置させて前記ブラケット取付部に取り付けられ前記標準棚板を支持する追加ブラケットと、前記標準棚板に代えて前記標準ブラケット上に支持される底板と、前記追加ブラケットに支持された標準棚板を天井としてこの底板上に形成される陳列空間の前面に配される扉とを具備してなるものである。
【００１２】
前記支持体は、前記標準ブラケット及び前記追加ブラケットを、上下方向に取り付け位置変更可能に支持し得るものであればどのようなものでもよく、例えば、フック孔を有した支柱を備えたものや、フック孔を有したパーティション等、種々のものが考えられる。前記什器とは、少なくとも前記支持体と、前記標準ブラケットと、標準棚板とを用いて構築されるいわゆる陳列棚構造のものを意味しているが、さらに、側板を備えたものであってもよい。また、支持体が左右対をなす支柱を備えたものである場合には、その支柱間に背板を設ける態様と、設けない態様が考えられる。前記什器の側板や背板は、狭義の板状をなすものに限らず、いわゆる網やパンチングパネル等であってもよい。
【００１３】
また、前記追加ブラケットは、少なくとも前記支持体のブラケット取付部に取り付けることができるとともに前記標準棚板を支持し得る構成をなしておればよく、前記標準ブラケットと同一であると否とを問わない。
【００１４】
また、前記底板は、少なくとも前記標準ブラケットを介して前記支持体に保持させることが出来るものであればよく、前記標準棚板と同一であると否とを問わない。
【００１５】
さらに、前記扉としては、跳ね上げ式扉、引き戸式扉、開閉式扉等、種々のものが挙げられる。前記跳ね上げ式扉としては、所定位置に設けられたヒンジを介して跳ね上げるようにしたヒンジ式のものや、一旦跳ね上げた後、スライドさせて陳列空間の天井領域に格納することができる格納式のもの等が挙げられる。前記引き戸式扉としては、二枚の扉要素を引き違いに設けたものや、三枚以上の扉要素を有したものなどが考えられる。前記開閉式扉としては、片開きのものや、いわゆる観音開きのもの等を挙げることができる。
【００１６】
このような構成のショウケースユニットであれば、陳列棚として使用することができる什器の構成要素を有効に利用してショウケースを構築することができる。また、従来のように部材が重なり合って過剰品質が生じるという問題を効果的に抑えることが可能となる。さらに、従来と同じショウケース設置空間において、比較的大きな陳列空間を確保することもできる。
【００１７】
前記什器が側板を備えている場合には、前記ショウケースユニット側に側板を加える必要はないが、前記什器が側板を備えていない場合や、他の壁等により側面が閉塞されるような配置がなされない場合には、ショウケースユニットの構成要素として側板を追加するのが望ましい。この側板も、狭義の板材により作られたものに限られず、網やパンチングパネル構造のもの等であってもよい。ショウケースユニットの一構成要素となる側板は、陳列空間の両側に配される場合と、片側だけに配される場合がある。
【００１８】
また、保安性を高めるには、ショウケースユニットの構成要素として、施錠装置をさらに追加するのがよい。施錠装置としては、電動式の錠を用いたもの、機械式の錠を用いたもの、或いは、電動式の錠と機械式の錠とを組み合わせたもの等、種々のものが採用可能である。
【００１９】
実施する上で好ましい態様としては、前記支持体が対をなす支柱を備えたものであり、それら支柱にそれぞれ取り付けられた対をなす標準ブラケットにより前記底板を支持するとともに、前記支柱にそれぞれ支持された対をなす追加ブラケットにより前記標準棚板を支持するようにしたものを挙げることができる。この場合、組み立て精度や組み立て後の強度をより高めるには、ショウケースユニットが、前記追加ブラケットの上縁部同士を連結する上横架材をさらに備えているのが望ましい。
【００２０】
前述した扉は、必ずしも追加ブラケットに支持させるものに限られないが、少なくとも跳ね上げ式の扉を採用する場合には、前記追加ブラケットが、前記扉を開閉可能に支持するための扉支持部材を備えているのが好ましい。
【００２１】
前述した施錠装置は、必ずしも前記扉と前記底板との間に設ける必要はなく、二枚以上の扉要素を備えた扉の場合には、扉要素間に施錠装置を設けることも可能である。しかしながら、施錠装置により前記扉を前記底板にロックする場合には、前記底板が、前記施錠装置の構成要素を収容するための収容部を備えているのがよい。そして前記扉として跳ね上げ式のものを採用した上でかかる施錠態様を実現するには、前記扉の下縁部に前記施錠装置の構成要素を取り付けるための錠取付部を設けておくのがよい。
【００２２】
以上説明したショウケースユニットを用いて構築されるショウケースは、ブラケット取付部を有する支持体と、この支持体のブラケット取付部に上下方向に取付位置変更可能に支持される標準ブラケットと、この標準ブラケットに着脱可能に支持され得る標準棚板と、前記標準ブラケットよりも上方に位置させて前記ブラケット取付部に取り付けられ前記標準棚板を支持する追加ブラケットと、前記標準棚板に代えて前記標準ブラケット上に支持される底板と、前記追加ブラケットに支持された標準棚板を天井としてこの底板上に形成される陳列空間の前面に配される扉とを具備してなるものである。
【００２３】
本発明のショウケースは、換言すれば次のように表現することもできる。すなわち、このショウケースは、少なくともブラケット取付部を有する支持体と、この支持体のブラケット取付部に上下方向に取付位置変更可能に支持される標準ブラケットと、この標準ブラケットに着脱可能に支持され得る標準棚板とを用いて天井を有する陳列空間を形成し、その陳列空間の前面に扉を配してなるものである。このような構成のものであれば、棚構造を構成することができる支持体、標準ブラケット及び標準棚板を特に有効に利用して部材の無駄を省くことが可能となる。
【００２４】
なお、以上の説明では、１つの陳列空間を形成する場合の構成について説明したが、支持体に複数組の前記標準ブラケット及び前記標準棚板を支持させて左右方向に連続する複数の陳列空間を形成してもよいのは勿論である。
【発明の効果】
【００２５】
本発明は、以上のような構成であるから、部材が重なり合って無駄が生じるのを効果的に抑えることができるショウケースユニット及びショウケースを提供することができるものである。
【発明を実施するための最良の形態】
【００２６】
以下、本発明の一実施形態を、図面を参照して説明する。
【００２７】
このショウケースＣは、図１乃至図１２に示すように、商品陳列用の什器Ｆと、ショウケースユニットＵとを用いて構成されている。
【００２８】
＜什器Ｆの構成＞
商品陳列用の什器Ｆは、図１乃至図５に示すように、ブラケット取付部１１５を有した支持体１と、この支持体１のブラケット取付部１１５にそれぞれ上下方向に取付位置変更可能に支持される標準ブラケット２と、この標準ブラケット２に着脱可能に支持され得る標準棚板３とを具備してなる。しかして、什器Ｆ本来の仕様においては、前記標準棚板３を実際に前記標準ブラケット２により支持し、その標準棚板３の上に商品を陳列することができるようになっている。
【００２９】
前記支持体１は、図１乃至図３に示すように、対をなす支柱１１を主体にして構成されている。これらの支柱１１は、キャスタ１１１を有したベース１１２の後縁部両側に設けられたもので、その上端間が連結材１１３により連結されている。前記ブラケット取付部１１５は、前記支柱１１の前壁１１４に複数のフック孔１１５ａを上下方向に所定のピッチで形成してなる。なお、前記両支柱１１、１１間には、例えば、不透明な板材により作られた背板１２が設けられている。
【００３０】
前記標準ブラケット２は、図１乃至図５に示すように、棚受け用の上縁に複数の位置決め用凹陥部２１１を有してなる板状のブラケット本体２１と、そのブラケット本体２１の基端に設けられ前記支柱１１のフック孔１１５ａのいずれかに着脱可能に係り合う爪２２とを具備してなる。
【００３１】
前記標準棚板３は、図１乃至図６に示すように、平板状をなす棚板本体３１と、この棚板本体３１の前縁部下面側に形成された前枠部３２と、前記棚板本体３１の左右両側縁から下方に垂下させた側片部３３と、前記棚板本体３１の後縁から下方に垂下させた後片部３４と、前記棚板本体３１の下面に接合された補強材３５とを具備してなる。前記前枠部３２の前面には、値札や商品名を記載したカード等を装着するためのカード保持部材３２１が設けられている。前記各側片部３３の内面と前記補強材３５の端部との間には、図示しないブラケット挿入用の隙間が形成されている。そして、前記隙間に臨む前記棚板本体３１の下面に位置決め用突起３１１が設けられている。以上のようにしてなる什器Ｆに前記ショウケースユニットＵを組み合わせることによって、前記ショウケースＣが作られる。
【００３２】
＜ショウケースユニットＵの構成＞
ショウケースユニットＵは、図１乃至図５に示すように、前記標準ブラケット２よりも上方に位置させて前記両ブラケット取付部１１５にそれぞれ取り付けられ前記標準棚板３を支持する対をなす追加ブラケット４と、前記標準棚板３に代えて前記標準ブラケット２上に支持される底板５と、前記追加ブラケット４に支持された標準棚板３を天井としてこの底板５上に形成される陳列空間Ｓの前面に配される扉６とを主体に構成されている。そして、この実施形態では、さらに、左右の側板７、７と、施錠装置８と、前、後の上横架材９１、９２とを備えてなる。
【００３３】
前記追加ブラケット４は、図２乃至図６に示すように、棚受け用の上縁に複数の位置決め用凹陥部４１１を有してなる板状のブラケット本体４１と、そのブラケット本体４１の基端に設けられ前記支柱１１のフック孔１１５ａのいずれかに着脱可能に係り合う爪４２とを具備してなる。そして、前記ブラケット本体４１の内側面に、前記扉６を開閉可能に支持するための扉支持部材であるレール４１２を備えている。前記レール４１２は、前記ブラケット本体４１の下縁に沿って該ブラケット本体４１の先端部から基端方向に伸びる下レール要素４１２ａと、この下レール要素４１２ａの上方に位置させて設けられ前記下レール要素４１２ａとの間にレール溝４１２ｃを形成する上レール要素４１２ｂと、これら上、下レール要素４１２ｂ、４１２ａの前端間に配される前壁要素４１２ｄと、前記下レール要素４１２ａの後端から上方に伸びる後壁要素４１２ｅとを具備してなる。前記後壁要素４１２ｅと前記上レール要素４１２ｂとの間には、前記レール溝４１２ｃを上方に開放させるためのピン導出入口４１２ｆが形成されている。しかして、前記レール溝４１２ｃは、その全体が内側方に向けて開放されているとともに、その後端部分が前記ピン導出入口４１２ｆを介して上方に開放されている。また、各追加ブラケット４は、前記レール４１２の前端よりも後に位置する部位に、後述するように跳ね上げて陳列空間Ｓの天井領域に格納される扉６の下面を受けるための扉受け部材４３を備えている。
【００３４】
前記底板５は、図１乃至図５に示すように、平板状をなす底板本体５１と、この底板本体５１の前縁部下面側に形成された前枠部５２と、前記底板本体５１の左右両側縁から下方に垂下させた側片部５３と、前記底板本体５１の後縁から下方に垂下させた後片部５４と、前記底板本体５１の下面に接合された補強材５５とを具備してなるもので、板金素材により作られている。前記各側片部５３の内面と前記補強材５５の端部との間には、図示しないブラケット挿入用の隙間が形成されている。そして、前記側片部５３の内面に位置決め用突起５３１が設けられている。前記前枠部５２は中空体状のもので、その内部を前記施錠装置８の構成要素である電動式の錠８２を収容するための収容部５２１となしている。前記前枠部５２の前面における中央には、前記施錠装置８の他の構成要素である機械式の錠８１の一部が出入りする錠導出入口５２２が開口させてあるとともに、その錠導出入口５２２の両側方には、電磁波を透過させるための電磁波透過窓５２３が開口させてある。なお、これらの電磁波透過窓５２３は、電磁波を透過させることができるシート材、例えば、薄いアクリル板５２４により覆われている。
【００３５】
前記扉６は、図１乃至図７に示すように、外部から陳列空間Ｓ内を視認可能な透明な材料、例えば、アクリル材により作られた扉本体６１と、この扉本体６１の上縁部に設けられ左右両端にヒンジ用のピン６２４ａを有した上フレーム６２と、前記扉本体６１の下縁部中央に設けた錠取付部６３とを具備してなる。前記上フレーム６２は、前記扉６の前面に添えられるアングル状の前枠材６２１と、前記扉６の背面に添えられるアングル状の後枠材６２２と、これら後枠材６２２及び前記前枠材６２１を前記扉本体６１を介して緊締するボルト・ナット等の止着具６２３とを具備してなる。前記後枠材６２２の左右両端部には、後方に向かって突出する端片６２４がそれぞれ一体に設けてあり、それら各端片６２４に前記ピン６２４ａがそれぞれ設けられている。前記錠取付部６３は、平板状のもので、その上半部が扉本体６１の前面に固着されている。
【００３６】
前記施錠装置８は、図１乃至図５及び図７に示すように、前記扉６の錠取付部６３に取り付けられた機械式の錠８１と、前記底板５の収容部５２１に収められた電動式の錠８２とを具備してなる。機械式の錠８１は、図３及び図７に示すように、前面に鍵穴８１１ａを有した機械錠本体８１１と、この機械錠本体８１１の後端に設けられ前記鍵穴８１１ａに挿入された図示しない鍵を操作することによって解錠位置（ｕ）から施錠位置（ｌ）までの間で回転動作する作動体８１２とを備えてなる。機械錠本体８１１は、鍵穴８１１ａを前面に表出させた状態で前記錠取付部６３に貫通状態で取り付けられている。前記底板５の前面に開口させた錠導出入口５２２は、前記作動体８１２と前記機械錠本体８１１の後半部分が通過し得る形状をなしており、前記扉６を閉じた状態で前記作動体８１２と前記機械錠本体８１１の後半部分とが前記底板５の収容部５２１内に侵入するように構成されている。
【００３７】
一方、前記電動式の錠８２は、図３及び図７に示すように、前記底板５の収納部内に収められた電動錠本体８２１と、この電動錠本体８２１の一端に設けられこの電動錠本体８２１の作動により施錠突出位置（ｌ）から解錠没入位置（ｕ）までの間で進退動作する作動桿８２２とを具備してなる。前記電動錠本体８２１は、図示しない制御装置の駆動回路から電力供給を受けて施錠状態と解錠状態との間で作動するように構成された通常のもので、図７において破線で示すように、施錠状態では前記作動桿８２２を前記施錠突出位置（ｌ）まで突出させ、図７において二点鎖線で示すように、解錠状態では前記作動桿８２２を前記解錠没入位置（ｕ）まで没入させるようになっている。前記制御装置は、例えば、ＩＣタグを添付した図示しないカードキー等の情報を読み取る情報読取機と、この情報読取機が読み取ったＩＤ情報が予め登録されているものと合致するか否かを判断する判断回路と、この判断回路による判断結果に応じて前記電動錠本体８２１を施錠状態又は解錠状態に作動させる駆動回路とを具備してなる。前記情報読取機のアンテナ部分は前記底板５の電磁波透過窓５２３に内側から臨ませてあり、この電磁波透過窓５２３に外側から接近させたカードキー等のＩＤ情報を読み取ることができるようになっている。
【００３８】
なお、前記機械式の錠８１の作動体８１２は、図７において実線で示すように、施錠突出位置（ｌ）にある電動式の錠８２の作動桿８２２に係わり合って前記扉６を施錠し得るようになっており、図７において二点鎖線で示すように、電動式の錠８２の作動桿８２２が解錠没入位置（ｕ）に移動した場合には、機械式の錠８１の作動体８１２がいずれの位置にあっても前記扉６を開くことができるように構成されている。以上のような施錠装置８を設ける場合であって、前記什器Ｆ側に陳列空間Ｓの側面を塞ぐ部材が存在しない状況においては、その陳列空間Ｓの側面を閉塞するための側板７を追加するのが原則である。
【００３９】
前記側板７は、図１乃至図６に示すように、平板状をなす側板本体７１と、この側板本体７１の前縁部内側に形成された前枠部７２と、前記側板本体７１の上縁から上方に立ち上げた上片部７３と、前記側板本体７１の後縁から後方に突出させた爪７４と、前記側板本体７１の後縁から後縁部内側に形成された後枠部７５とを具備してなる。この側板７は、前記爪７４を前記支柱１１のフック孔１１５ａに掛けることによって陳列空間Ｓの側面に配される。そして、その上片部７３を前記追加ブラケット４の外側面に重ね合わせた状態で、その外側に前記標準棚板３の側片部３３を被せることによって、該側板７の横方向の振れが防止されるようになっている。なお、この実施形態においては、この側板７の上片部７３の前端近傍に配される前の上横架材９１と、前記上片部７３の後端近傍に配される後の上横架材９２とによって、前記追加ブラケット４同士が連結されている。
【００４０】
前記前の上横架材９１は、図２乃至図６に示すように、細長い平板状をなす横架材本体９１１と、この横架材本体９１１の前縁から下方に垂下させた前枠部９１２と、前記横架材本体９１１の後縁から下方に垂下させた後枠部９１３とを備えたもので、前記横架材本体９１１の両端近傍部に前記追加ブラケット４の突起４１３と係り合う係合部９１４を有するとともに、前記前枠部９１２の両端近傍部に前記側板７の前枠部９１２の突起７２１と係わり合う係合部９１５を備えている。しかして、この前の上横架材９１は、左右の追加ブラケット４の先端部分と左右の側板７の先端部分とを同時に連結する機能を備えている。
【００４１】
前記後の上横架材９２は、図２、４及び図５に示すように、細長い平板状をなす横架材本体９２１と、この横架材本体９２１の前縁から下方に垂下させた前片部９２２と、前記横架材本体９２１の後縁から下方に垂下させた後片部９２３と、前記横架材本体９２１の左右両端から下方に垂下させた端片部９２４とを備えたもので、これら両端片部９２４の内側面と、前記前片部９２２及び前記後片部９２３の左右両端面との間には、前記追加ブラケット４を嵌め合わせることができる図示しない隙間が形成されている。すなわち、前記後の上横架材９２の両端部を、左右の追加ブラケット４の基端近傍部に上から嵌め込むことによって、該上横架材９２の端片部９２４が前記追加ブラケット４の外側面に添接するとともに、該上横架材９２の前片部９２２及び前記後片部９２３における左右両端面が前記追加ブラケット４の内側面に当接して左右の位置決めがなされるように構成されている。
【００４２】
＜ショウケースＣ全体の構成及び組立方法＞
次いで、以上のようにしてなる商品陳列用の什器ＦとショウケースユニットＵとを用いて作られるショウケースＣ全体の構成及び組立方法について、図２乃至図５及び図８乃至図１１を用いて説明する。
【００４３】
この実施形態におけるショウケースＣは、図２及び図３に示すように、ブラケット取付部１１５であるフック孔１１５ａを有した対をなす支柱１１と、これら支柱１１のフック孔１１５ａに上下方向に取付位置変更可能に支持される標準ブラケット２と、この標準ブラケット２に着脱可能に支持され得る標準棚板３と、前記標準ブラケット２よりも上方に位置させて前記ブラケット取付部１１５に取り付けられ前記標準棚板３を支持する追加ブラケット４と、前記標準棚板３に代えて前記標準ブラケット２上に支持される底板５と、前記追加ブラケット４に支持された標準棚板３を天井としてこの底板５上に形成される陳列空間Ｓの前面に配される扉６とを主体に構成されている。そして、前記支柱１１に取り付けられて前記陳列空間Ｓの側面を塞ぐ左右の側板７と、前記扉６を前記底板５にロックするための施錠装置８と、前記左右の追加ブラケット４及び前記左右の側板７を連結する前、後の上横架材９１、９２とをさらに備えている。
【００４４】
このショウケースＣは、次のような手順で組み立てることができる。まず、図８に示すように、前記支柱１１の所望の高さ位置に標準ブラケット２を取り付けるとともに、その標準ブラケット２上に前記底板５を載置する。この底板５の載せ置き作業は標準棚板３の場合と同じ要領で行えばよく、該底板５を載せることによって、図４及び図５に示すように、この底板５の側片部５３に設けた位置決め用突起５３１が前記標準ブラケット２の位置決め用凹陥部２１１に係わり合って該底板５が前記標準ブラケット２に対して位置決め保持される。
【００４５】
次いで、図８に示すように、左右の側板７を前記各支柱１１に取り付ける。その場合、各側板７の下縁が前記底板５の下面に略一致することになるフック孔１１５ａを選択し、そのフック孔１１５ａに前記各側板７の爪７４を掛ける。左右の側板７が装着された状態で、図９に示すように、左右の追加ブラケット４を前記各支柱１１に取り付ける。その場合、各追加ブラケット４の上縁が前記各側板７の上片部７３の上縁よりも一段上位となるフック孔１１５ａを選択し、そのフック孔１１５ａに前記各追加ブラケット４の爪４２を掛ける。しかる後に、図１０に示すように、左右の側板７の基端近傍部間に後の上横架材９２を架け渡して、左右の追加ブラケット４同士を連結する。
【００４６】
左右の追加ブラケット４の基端近傍部間が連結された段階で、それら追加ブラケット４に扉６を装着する。扉６の装着は、まず、図１０に示すように、前記扉６を略水平に保持した上で前記追加ブラケット４上に持ち来し、その扉６を水平姿勢のままで降下させる。その操作によって、前記扉６の両端に突設されたピン６２４ａを、図４及び図５に示す前記両追加ブラケット４に設けられたレール４１２のピン導出入口４１２ｆを通過させてレール溝４１２ｃに嵌めこむことができる。左右のピン６２４ａが左右のレール溝４１２ｃに嵌り込んだのを確認した上で、前記扉６を手前に移動させると、前記ピン６２４ａが前記レール溝４１２ｃに案内されてレール４１２の前壁要素４１２ｄに当接する位置にまで到達する。この状態でそのピン６２４ａを支点にして扉６を下方に回転させると、図４及び図１１に示すように、この扉６によって前記陳列空間Ｓの前面を覆うことができる。
【００４７】
このようにして前記扉６を装着した状態で、図１１に示すように、前記両追加ブラケット４の前端部同士、及び前記両側板７の前端部同士を前の上横架材９１により連結し、しかる後に前記追加ブラケット４上に標準棚板３を載置して、図１２に示すように、ショウケースＣを完成させる。なお、この標準棚板３は、前記陳列空間Ｓ側のみからアクセスすることができるように、図示しない止着具によりブラケットに止着される。
【００４８】
＜ショウケースＣの作用＞
次いで、このショウケースＣの作用を説明する。このショウケースＣは、図１及び図３に示すように、前記陳列空間Ｓ内に配した陳列品を透明な扉６を介して外側から視認することができる。陳列時は前記施錠装置８が施錠状態に維持されているのが通常であり、その状態では前記機械式の錠８１を開けるための鍵、又は前記電動式の錠８２を解錠するためのカードキーを所持している者以外は、前記扉６を開くことができない。この施錠状態においては、図７の実線で示すように、機械式の錠８１における作動体８１２が施錠位置（ｌ）にあるとともに、図７の破線で示すように、電動式の錠８２における作動桿８２２が施錠突出位置（ｌ）にあり、この作動桿８２２と前記作動体８１２が係り合っている。この施錠装置８を解錠するには次の二通りの方法が準備されている。陳列品の入れ替えなど通常業務においては、前記カードキーを前記底板５の電磁波透過窓５２３に接近させる。それにより前記電動式の錠８２が作動し、図７の二点鎖線で示すように、その作動桿８２２が解錠没入位置（ｕ）に移動する。その結果、この作動桿８２２と前記作動体８１２との係り合いが解除され、機械式の錠８１が施錠状態にあっても前記扉６を開くことが可能になる。一方、停電や電池切れなどの原因で前記電動式の錠８２を作動させることができない場合には、前記鍵を用いて機械式の錠８１を作動させ、前記作動体８１２を施錠位置（ｌ）から解錠位置（ｕ）まで回転させる。その結果、図７の二点鎖線で示すように、その作動体８１２と前記作動桿８２２との係り合いが解除され、電動式の錠８２が施錠状態にあっても前記扉６を開くことが可能になる。
【００４９】
前記扉６を開く場合には、図４及び図５に示すように、該扉６の下縁側を手前上方に跳ね上げるようにする。その操作により前記扉６を略水平姿勢となる位置まで開成させることができる。そして、前記扉６が略水平姿勢になった段階、あるいはその少し前の段階から、その扉６を陳列空間Ｓ内に押し込むように操作すると、前記扉６のピン６２４ａが前記レール４１２に案内され、その扉６が前記陳列空間Ｓ内に没入してゆく。前記ピン６２４ａがレール４１２の後壁要素４１２ｅに当接した段階でその扉６から手を離すと、その扉６の手前に位置している部分が前記追加ブラケット４に設けられた扉受け部材４３上に載せ置かれる。そのため、図５及び図１２に示すように、前記扉６は、前記陳列空間Ｓの天井領域に大部分が格納された状態で保持される。その扉６を閉じる場合には、以上と逆の操作を行えばよい。
【００５０】
なお、本発明は以上に詳述した実施形態に限られるものではない。
【００５１】
上記で説明した実施形態では、二本の支柱に一組のショウケースユニットを組み合わせて単一の陳列空間を形成する場合について説明したが、三本以上であるｎ本の支柱に対して（ｎ−１）組のショウケースユニットを組み合わせることによって、（ｎ−１）個の陳列空間を形成することができる。それら複数の陳列空間を横一列に配する場合には、隣接する陳列空間の境界に配されるべき側板を省略することもできる。そのようにすれば、横一列に並ぶ複数の陳列空間が連続したものとなり、複数の陳列空間に亘る長尺な商品を陳列することも可能になる。
【００５２】
なお、２本の支柱に対して、複数のショウケースユニットを組み合わせることもできることは勿論であり、そのようにすれば上下方向に複数の陳列空間を配列させることができる。
【００５３】
また、前述した実施形態とは異なった寸法の扉を用いれば、さらに仕様変更の幅を拡大することが可能となる。例えば、前述したｎ本の支柱に対して横長な単一の陳列空間を形成することもできる。その場合には、少なくとも扉の左右方向の寸法を前記横長な陳列空間に対応させればよい。その際、底板も扉と同様に横長な陳列空間に対応させておけば、ショウケースユニットの部品点数を大幅に増加させることなく横長な陳列空間を形成することができる。また、前述した実施形態の扉よりも上下方向寸法の大きな扉を用いれば、ショウケースユニットの部品点数を増加させることなく、より容量の大きなショウケースを作ることが可能になる。
【００５４】
さらに、支持体は、支柱を主体に構成されたものに限定されるものではなく、例えば、支柱を有しないパーティション等のパネル体であってもよい。
【００５５】
その他各部の具体的構成は、本発明の趣旨を逸脱しない範囲で種々変形が可能である。
【図面の簡単な説明】
【００５６】
【図１】本発明の実施形態に係るショウケースを示す全体斜視図。
【図２】同ショウケースを示す分解斜視図。
【図３】同ショウケースを示す正面図。
【図４】図３におけるＸ−Ｘ線断面図。
【図５】同ショウケースの扉が格納された状態を示す図４対応図。
【図６】図４におけるＹ領域部分拡大断面図。
【図７】図３におけるＺ−Ｚ線断面図。
【図８】同ショウケースの組立方法を示す図。
【図９】同ショウケースの組立方法を示す図。
【図１０】同ショウケースの組立方法を示す図。
【図１１】同ショウケースの組立方法を示す図。
【図１２】同ショウケースの組立方法を示す図。
【符号の説明】
【００５７】
Ｃ…ショウケース
Ｓ…陳列空間
Ｆ…什器
Ｕ…ショウケースユニット
１…支持体
１１…支柱
１１５…ブラケット取付部
２…標準ブラケット
３…標準棚板
４…追加ブラケット
４１２…扉支持部材
５…底板
５２１…収容部
６…扉
６３…錠取付部
７…側板
８…施錠装置
９１、９２…上横架材
【図１】
2010131062.tif 000003
【図２】
2010131062.tif 000004
【図３】
2010131062.tif 000005
【図４】
2010131062.tif 000006
【図５】
2010131062.tif 000007
【図６】
2010131062.tif 000008
【図７】
2010131062.tif 000009
【図８】
2010131062.tif 000010
【図９】
2010131062.tif 000011
【図１０】
2010131062.tif 000012
【図１１】
2010131062.tif 000013
【図１２】
2010131062.tif 000014